(57)【特許請求の範囲】
【請求項１】
方形の荷台面を有する搬送器具の荷台面で対向する一対の第１の外周縁部に掛け止めた一対の第１カバーパネルと、該第１の外周縁部に隣接する一対の第２の外周縁部に掛け止めた一対の第２カバーパネルとを搬送器具に分解可能に組立ててなる組立式コンテナにおいて、
第１カバーパネルが、
第１の外周縁部の全部を外側から囲む第１外壁本体部と、該本体部の両端で折れ曲がり左右に隣接する第２の外周縁部の一部を外側から囲む一対の第１外壁折曲部とからなって上下に延び、上端が搬送器具上の一定の高さに設定され、下端が搬送器具の下端とほぼ一致する第１外壁部と、
該第１外壁部の前記第１の外周縁部と当接する面の内側に一体に固定されて、下端が前記荷台面の第１の外周縁部の上に載置して掛止められる第１掛止パネル部とからなり、
第２カバーパネルが、
上端が前記第１外壁部と同一の高さに設定され、下端が前記荷台面の第２の外周縁部の上に載置して掛止められる第２掛止パネル部を有しており、
前記第１掛止パネル部又は第２掛止パネル部のいずれか一方の左右両端を略直角に折り曲げた係合突片部を備え、
いずれか他方の左右両端に、前記係合突片部を上方から挿入された状態で凹凸係合している受溝部を有してなり、
前記第２掛止パネル部の外側に、組立時に荷台面の第２の外周縁部の両端側を囲む一対の第１外壁折曲部の間で、該第１外壁折曲り部と同一面状となるように嵌合する第２外壁部が固着されており、
該第２外壁部は、上端が前記第１外壁折曲部と同一の高さに設定され、下端が少なくとも荷台面より下方に延びていることを特徴とする組立式コンテナ。
【請求項２】
第１カバーパネルと、第２カバーパネル部とが、複数枚のプラスチック製中空体シートを貼り合わせた構造からなっており、
第１掛止パネル部と第２掛止パネル部の少なくともいずれかに、左右両端側を略直角に折り曲げられた状態で、Ｌ字状に設けられた係合突片部を有することを特徴とする請求項１に記載の組立式コンテナ。
【請求項３】
上記組み立てられたコンテナに、蓋部を外嵌してなることを特徴とする請求項１または２に記載の組立式コンテナ。
【請求項４】
蓋部は、一対の第１カバーパネルと一対の第２カバーパネルが収納可能であって下面が開放された箱形からなることを特徴とする請求項１から３のいずれかに記載の組立式コンテナ。
【発明の詳細な説明】
【技術分野】
【０００１】
この発明は、既存の方形の荷台面を有するパレットやスキッド台車等の搬送器具に掛け止めるだけで組立ができる分解可能な組立式コンテナに関する。
【背景技術】
【０００２】
従来、組立式のコンテナとして、例えば特開平９−１４２４６４号の箱では、方形で平板状の底板と、底板の四周辺に接して直立する底側板とからなる底皿部と、底皿部の四周辺の内側に沿って直立する４個の側板と、底皿部の内側の４隅に接して直立し、かつ、側板の垂直方向の端部を嵌め込むことによって隣り合う側板を繋ぐための凹部を有する、水平方向の断面の形状がＬ字型の４個の支柱と、箱の側面部に被さって位置する蓋からなる箱の構成が開示されている。
しかし、上記構成では、既存のパレットやスキッド台車をそのまま使用することができず、底板の四周辺に接して直立する底側板を形成する必要があった。
そして、４個の支柱の凹部に４枚の側板のそれぞれの垂直端部を嵌め込んで連結する必要があり、部品点数が多く、組立乃至分解も繁雑になるという欠点がある。
また、実開昭６３−２６５２１号の組立箱では、立方六面体の各面に分解できる発泡合成樹脂製組み立て箱において、上下面部材各２面、左右側面部材各２面および前後側面部材各２面は、それぞれ同一形状であり、該上下面部材にはその片面の四周縁に周緑溝がもうけられており、該左右側面部材には該周縁溝に嵌挿することができる突縁を上下に有し、左右には側縁溝が設けられており、該前後側面部材には該周縁満に嵌挿することができる上突縁と下突縁ならびに該側縁溝に嵌挿することができる右突縁と左突縁とを有する構成が開示されている。
上記構成では支柱を不要化することができるが、上下面部材にはその片面の四周縁に左右側面部材の突縁を嵌挿する周緑溝を設ける必要があるので、既存のパレットやスキッド台車をそのまま使用することができなかった。
【先行技術文献】
【特許文献】
【０００３】
【特許文献１】特開平９−１４２４６４号公報
【特許文献２】実開昭６３−２６５２１号公報
【発明の概要】
【発明が解決しようとする課題】
【０００４】
この発明は、上記事情に鑑みて創案されたものであって、その主たる課題は、支柱を用いることなく、既存のパレットやスキッド台車等の搬送器具に掛止めるだけで、着脱可能に組立てることができる組立式コンテナを提供することにある。
【課題を解決するための手段】
【０００５】
この発明は、上記課題を解決するために、請求項１の発明では、
方形の荷台面を有する搬送器具の荷台面で対向する一対の第１の外周縁部に掛け止めた一対の第１カバーパネルと、該第１の外周縁部に隣接する一対の第２の外周縁部に掛け止めた一対の第２カバーパネルとを搬送器具に分解可能に組立ててなる組立式コンテナにおいて、
第１カバーパネルが、
第１の外周縁部の全部を外側から囲む第１外壁本体部と、該本体部の両端で折れ曲がり左右に隣接する第２の外周縁部の一部を外側から囲む一対の第１外壁折曲部とからなって上下に延び、上端が搬送器具上の一定の高さに設定され、下端が搬送器具の下端とほぼ一致する第１外壁部と、
該第１外壁部の前記第１の外周縁部と当接する面の内側に一体に固定されて、下端が前記荷台面の第１の外周縁部の上に載置して掛止められる第１掛止パネル部とからなり、
第２カバーパネルが、
上端が前記第１外壁部と同一の高さに設定され、下端が前記荷台面の第２の外周縁部の上に載置して掛止められる第２掛止パネル部を有しており、
前記第１掛止パネル部又は第２掛止パネル部のいずれか一方の左右両端を略直角に折り曲げた係合突片部を形成し、
いずれか他方の左右両端に、前記係合突片部を上方から挿入して凹凸係合する受溝部を形成してなり、
前記第２掛止パネル部の外側に、組立時に荷台面の第２の外周縁部の両端側を囲む一対の第１外壁折曲部の間で、該第１外壁折曲り部と同一面状となるように嵌合する第２外壁部が固着されており、
該第２外壁部は、上端が前記第１外壁折曲部と同一の高さに設定され、下端が少なくとも荷台面より下方に延びていることを特徴とする。
請求項２の発明では、
前記第１カバーパネルと、第２カバーパネル部とが、複数枚のプラスチック製中空体シートを貼り合わせた構造からなっており、
第１掛止パネル部と第２掛止パネル部の少なくともいずれかに、左右両端側を略直角に折り曲げて、Ｌ字状を形成した係合突片部を有することを特徴とする。
請求項３の発明では、
上記組み立てられたコンテナに、蓋部を外嵌してなることを特徴とする。
請求項４の発明では、
前記蓋部は、一対の第１カバーパネルと一対の第２カバーパネルが収納可能であって下面が開放された箱形からなることを特徴とする。
【発明の効果】
【０００６】
この発明は、以下のような特有の効果を奏することができる。
（１）搬送器具の荷台面を一対の第１カバーパネルと一対の第２カバーパネルで囲んで掛止め、蓋部で上面を塞ぐことで、既存の搬送器具を利用しながらプラスチック製中空体シートや発泡体シートを用いて軽量、強固な組立式コンテナとすることができ、組立や分解が容易であり使用後は回収して再使用することができる。
また、前記第１カバーパネルと第２カバーパネルは、フラットなシートを貼り合せたり、折り曲げたりすることで成形しうるので、抜き型が不要であり、歩留まりが良いと同時に、一枚のフラットなシートを折り曲げる、貼り付けるという作業で済むため、製作が容易である。
更に、蓋部を設けることで、パレット輸送時において平積みしかできない軟体物や変形形状などの被搬送物品であっても蓋部の上に段積みができ、積載効率を向上させることができ、輸送コストの低減となる。
（２）第１掛止カバー部及び第２掛止カバー部が複数枚のプラスチック製中空体シートを貼り合わせた構造からなっているので軽量で強度に優れており、且つ簡単な構造であるので加工が容易である。
（３）第２外壁部を設けることで、荷台の第２の外周縁部の全部を一対の第１外壁折曲り部と共に同一面状に囲むと共に、下端が荷台面より下方に延びているので外部からの雨水などの浸入を防止することができる。
（４）蓋部が、その内空部を、一対の第１カバーパネルと一対の第２カバーパネルとを水平に積み重ねたものを収納しうる大きさに設定されているので、使用後に、搬送器具から分解した一対の第１カバーパネルと一対の第２カバーパネルとを蓋部内に収納して、発送先に送り戻すことができ、繰り返して使用することが可能である。
【図面の簡単な説明】
【０００７】
【図１】組立式コンテナの組立状態を示す斜視図である。
【図２】第１カバーパネルの斜視図である。
【図３】第２カバーパネルの斜視図である。
【図４】蓋部の斜視図である。
【図５】パレットの斜視図である。
【図６】パレットに一方の第１カバーパネルを取り付けた状態の斜視図である。
【図７】パレットに一対の第１カバーパネルを取り付けた状態の斜視図である。
【図８】パレットに一対の第２カバーパネルを取り付ける状態の斜視図である。
【図９】蓋部を取り付ける状態の組立式コンテナの断面図である。
【図１０】図９と直交する角度の蓋部を除いた組立式コンテナの断面図である。
【図１１】蓋部に第１カバーパネルと第２カバーパネルを収納した回収状態の断面図である。
【図１２】第１カバーパネルの第１掛止パネル部の別の実施例を示す斜視図である。
【図１３】組立式コンテナの異なる係止構造を示す横断面図である。
【図１４】組立式コンテナの更に別の係止構造を示す横断面図である。
【図１５】第２カバーパネルを折畳可能とした別の実施例を示す斜視図である。
【図１６（ａ）】第２カバーパネルが高さ方向に分割可能な異なる実施例の斜視図である。
【図１６（ｂ）】分割された上部を分離して横から収納物を取り出しやすくした状態のコンテナの斜視図である。
【発明を実施するための形態】
【０００８】
以下に、この発明の組立式コンテナの好適実施例について図面を参照しながら説明する。
【実施例１】
【０００９】
本実施例の組立式コンテナ１は、搬送器具としてパレットを用いたものである。
この組立式コンテナ１は、方形の荷台面２を有するパレット５と、該パレット５の四面を囲む一対の第１カバーパネル１０及び一対の第２カバーパネル２０と、蓋部３０とからなっている。
【００１０】
［パレット］
パレット５は、図５に例示するように、上面に方形の荷台面２を有するプラスチック製のパレットからなっている。
荷台面２は、対向する第１の外周縁部３と、該第１の外周縁部３と隣接し直交する方向に設けられた第２の外周縁部４とを備えている。
【００１１】
そして、パレット５の一方の外周縁部（図示例では第２の外周縁部４）に沿う側壁面の中途位置には、対向方向に延びてフォークを挿入するための一対の貫通孔５ａが設けられた公知構成からなっている。
この発明では、方形の荷台面を有するものであれば、上記パレットに限らず、木製のパレットやスキッド台車その他の公知の搬送器具を用いることができる。
【００１２】
［パネル］
本実施例では、第１カバーパネル１０及び第２カバーパネル２０は、主要部にプラスチック製中空体シートが用いられるが、この発明では、発泡プラスチックボードその他の発泡体シートなど、軽量で強度を有する素材を用いることができる。
プラスチック製中空体シートは、例えば、一回の押し出しで一体として吐出・成型されたプラスチック製段ボール、２枚のライナーの間に中芯を有するプラスチック製段ボール、など中空構造であればよい。
上記プラスチック製中空体シートは、例えば１枚のシートに断面Ｖ字状の熱板で熱罫線を入れて９０度折り曲げる、などの従来の方法を用いて後述の第一外壁折曲部１１ｂや係合突片部Ｐなどの折曲部分を形成することができる。
もしくは、すべて短冊状のシートにし、端面同士を垂直に接着させることで折曲部をつくってもよい。
本実施例では、前者のプラスチック製段ボールを用いた場合を例にして以下に説明する。
【００１３】
［第１カバーパネル］
第１カバーパネル１０は、第１外壁部１１とこれに固着された第１掛止パネル部１２とからなっている。
第１外壁部１１は、前記第１の外周縁部３の全部を外側から囲むプレート状の第１外壁本体部１１ａと、該第１外壁本体部１１ａの両端で折れ曲がり左右に隣接する第２の外周縁部４の一部を外側から囲む一対の第１外壁折曲部１１ｂとからなっている。
【００１４】
［第１外壁部］
上記プラスチック製段ボールはそのまま用いてもよいが、第１外壁部１１は横方向の両端を折り曲げるので、強度を高めるために、少なくとも一部（例えば下部）を金属板で覆って補強してもよい。
あるいは、軽量であれば、剛性を有する金属プレートをそのまま用いてもよい。
この第１外壁部１１は、下端が組立時にパレット５の下端とほぼ一致し、上端がパレット５上の一定の高さに設定される大きさに形成されている。
【００１５】
［第１掛止パネル部］
第１掛止パネル部１２は、両端に一対の受溝部Ｇを有するプラスチック製段ボールからなっている。
プラスチック製段ボールは１枚でも複数枚でもよい。
１枚で形成する場合については、後述の実施例２として図１２に示す。
【００１６】
本実施例では２枚のプラスチック製段ボールを用いる場合を示す。
図示例では２枚のプラスチック製段ボールを重ね合せて相互に接着しており、前記第１外壁本体部１１ａの内側の面に一体に固定されている。
【００１７】
上記第１掛止パネル部１２は、上端が第１外壁部１１の上端と揃う高さに設定され、下端が前記荷台面２の第１外周縁部３の上に載置して掛止められる高さに設定される第１段部１３が形成されている。
接着方法は、両面テープ、接着剤、熱溶着、超音波溶着など、既存の接着方法が考えられる。
【００１８】
そして、第１掛止パネル部１２には第１外壁部１１との間に受溝部Ｇを形成している。
本実施例では、第１掛止パネル部１２は、２枚が積層された縦目のプラスチック製段ボールからなっており、第１外壁部１１の角部内面を利用して第１外壁本体部１１ａの内面両側に一対の受溝部Ｇを形成している。
縦目とは、リブ又は中芯の向きが側板の高さ方向に向かうように使用方向を設定することをいい、横目とは、縦目に対して９０度回転させた状態をいう。
第１カバーパネルを構成するシートの少なくとも一枚を、縦目とすることで、上からの圧力に強いものとなる。第２カバーパネルについても同様である。
【００１９】
［受溝部］
即ち、第１掛止パネル部１２は、図２に明瞭なように、第１外壁本体部１１ａに固着される第１外側ボード１２ａと、第１外側ボード１２ａの内面側に貼り合わされる第１内側ボード１２ｂとからなっている。
そして、第１外側ボード１２ａはその両端を、第１内側ボード１２ｂの両端より短く設定してあり、第１外壁部１１の内面の各角部との間で断面が鉤状となる受溝部Ｇを形成している。
【００２０】
［第２カバーパネル］
第２カバーパネル２０は、本実施例の場合、第２外壁部２１と前記第１掛止パネル部１２に係脱可能な第２掛止パネル部２２とからなっている。
第２外壁部２１は前記第１外壁部１１に対応するもので、組立時にその上端が第１外壁部１１の上端と揃う高さに設定され、下端２１Ｅは前記荷台面２よりやや下方となる。
これにより、荷台面の第２の外周縁部の全部を一対の第１外壁折曲り部１１ｂと共に同一面状に囲むと共に、下端が荷台面より下方に延びているので外部からの雨水などの浸入を防止することができる。
【００２１】
［第２掛止パネル部］
第２掛止パネル部２２は、複数枚（図示例では２枚）のプラスチック製段ボールを重ね合せて相互に接着した構成からなり、前記第２外壁部２１の内側に一体に固定されている。
上記第２掛止パネル部２２は、上端が第２外壁部１２の上端と揃う高さに設定され、下端が前記荷台面２の第２外周縁部４の上に載置して掛止められる位置に設定されて第２段部２３が形成されている。
【００２２】
第２掛止パネル部２２は、図３で明瞭なように、第２外壁部２１に固着される第２外側ボード２２ａと、第２外側ボード２２ａの内面側に貼り合わされる第２内側ボード２２ｂとからなっている。
本実施例の場合、第２外側ボード２２ａは、横方向の両端を鉤状に折り曲げるので、横目のプラスチック製段ボールを用い、第２内側ボード２２ｂは補強用であるので縦目のプラスチック製段ボールを用いるのが好ましい。
【００２３】
［係合突片部］
そして、第２外側ボード２２ａの両端を第２内側ボード２２ｂの両端より長く設定し、上記第２内側ボード２２ｂより延出した横方向の両端側を内側ボード２２ｂの両端と所定の隙間２２ｄを隔てて略直角に折り曲げて鉤状とし、前記受溝部Ｇに係合可能な係合突片部Ｐに形成している。
組立時には、前記第１内側ボード１２ｂの延出方向の両端が第２内側ボード２２ｂと係合突片部Ｐの間の凹溝状となる隙間２２ｄに嵌合して、受溝部Ｇに嵌め込まれる係合突片部Ｐを拘束している（図１参照）。
なお、係合突片部Ｐの端面をＲ形状にシール成形（端面処理）することで、組み立て時に、ひっかかる部分がなくなり、スムーズに係合突片部Ｐが受溝部Ｇに上から差し込める（図３参照）。
【００２４】
その他の端面についても、シートの中空部が露出し得る端面については、端面処理してもよく、これにより中空体シート内に雨水等が入らず、またコンテナを丸ごと洗浄することも可能となる。
前記受溝部Ｇと係合突片部Ｐの形状は上記実施例に限定されない。
この発明では、前記受溝部を第２掛止パネル部２２側に設け、係合突片部を第１掛止パネル部１２側に設けてもよい。
【００２５】
［蓋部］
蓋部３０は、下面が開放された箱形からなっている(図４参照）。
図示例では蓋部３０の内底面の中央に、嵌合時に第１カバーパネル１０と第２カバーパネル２０の上端と衝合しない短い寸法に設定された矩形の補強ボード３１が接着されている。
蓋部３０と補強ボード３１とはプラスチック製段ボールからなっているが、補強用の蓋部の外周壁の角部や下部に金属製の補強カバーを固着しまたは嵌着してもよい(図示せず)。
【００２６】
蓋部３０の内空部３２は、第１カバーパネル１０と第２カバーパネル２０の四辺全てを収納できる容積を持つように設定されている。
また、図示しないが、蓋部３０の上部に、コンテナを積み重ねた時、コンテナの底となるパレット５の底面と係合するための突起等の係止部を設けても良い。
【００２７】
従って、図１１に例示するように、一対の第１カバーパネル１０の第１外壁折曲部を互い違いに向かい合わせて組み合わせ、一対の第２カバーパネル２０はそのまま重ね合わせ、広面が水平面となるように蓋部３０の内空部に収納することで、パレット５を除く構成部品をコンパクトに収納することができ、コンテナ組立の再使用に備えての回収作業を容易に行うことができる。
【００２８】
［組立方法］
図６から図９及び図１により、上記構成部品を用いた組立式コンテナ１の組立方法を説明する。
まず、図６に示すように、パレット５（図５参照）の荷台面２の第１の外周縁部３の一方に、第１カバーパネル１０を掛止める。
【００２９】
ここで、第１外壁本体部１１ａはパレット５の前記第１の外周縁部３に沿う側壁面を隙間無く囲み、第１外壁部１１の角部がパレット５の角部に外側から当接し、第１外壁折曲部１１ｂは、第１の外周縁部３の両側に隣接する第２の外周縁部４、４に沿う側壁面の一部を隙間無く囲むように嵌め込む(図７参照）。
【００３０】
この際、第１掛止パネル部１２の底面が第１段部１３となり荷台面２の第１の外周縁部３に沿って掛止められる。
また、第１外壁部１１の下端はパレット５の下端とほぼ一致し、コの字状に床面に接しているので、パレット５の一側で自立して掛止められる。
【００３１】
同様に、荷台面２の対向する第１の外周縁部３に沿って他方の第１カバーパネル１０を掛止め自立させる。
ここで、本実施例のようなパレット５の場合には、第１外壁折曲部１１ｂの横幅の長さは、第２の外周縁部４に沿う側壁面に形成されるパレット５の貫通孔５ａと重ならない長さに設定されている。
【００３２】
次に、図８に示すように、パレット５に掛け止められて自立した一対の第１カバーパネル１０に形成された受溝部Ｇに、第２カバーパネル２０の係合突片部Ｐを上から挿入し、該溝Ｇに沿って摺動させる。
同時に、第１内側ボード１２ｂの延出方向の両端が、凹溝状の隙間２２ｄに沿って嵌め込まれる。
そして、第２掛止パネル部２２の下端の第２段部２３が荷台面２の第２の外周縁部４上に掛止められるまで挿入される。
【００３３】
また、第２外壁部２１が設けられている場合には、第２外壁部２１は、前記第２の外周縁部４に沿って当接された一対の第１外壁折曲部１１ｂの間に嵌挿される（図１参照）。
ここで、第２外壁部２１の下端２１Ｅは第２掛止パネル部２２の下端より長く設定されているので、荷台面２を超えて下方まで延びることができ、掛止と同時に荷台面２上への雨水等の浸入を防止することができる。
【００３４】
これにより一対の第１カバーパネル１０と一対の第２カバーパネル２０とが、係合突片部Ｐと受溝部Ｇとの係合によって相互に係止され角筒状に組み立てられると共に、パレット５の四方の面が第１外壁部１１や第２外壁部２１により囲まれる。
そして、図１及び図９で示すように、蓋部３０を上から外嵌することで、上面を塞ぐと共に、第１カバーパネル１０と第２カバーパネル２０の連結を一層強化する。
【実施例２】
【００３５】
図１２には、第１カバーパネル１０の第１掛止パネル部１２の異なる実施例を示す。
この第１掛止パネル部１２は、１枚のプラスチック製段ボールを用いて形成されている。
即ち、第１掛止パネル部１２の両端を鉤状になるように２回折り曲げて断面略ハット形としており、第１外壁部１１との間に、断面Ｌ字状の受溝部Ｇを形成している。
その他の構成は前記実施例と同様であるので、その説明を省略する。
【実施例３】
【００３６】
図１３に示す組立式コンテナ１は、第２カバーパネル２０が第２外壁部２１を省略した異なる実施例を示す。
即ち、第１カバーパネル１０は実施例１と同一構成からなる。
第２カバーパネル２０は、第２外壁部２１を有さず、第２掛止パネル部２２のみから構成されている。
【００３７】
この場合であっても、第２掛止パネル部２２の強度によってコンテナ内部の収納物を保護することができる。
また、第１外壁折曲部１１ｂの長さは、パレット５の場合には貫通孔５ａを塞がない長さに設定しなければならないが、スキッド台車等の前記貫通孔を有しない搬送器具にあっては、第１カバーパネル１０の第１外壁部１１の第１外壁折曲部１１ｂを第２の外周縁部４の半分近く延ばすことで、第２掛止パネル部２２の替わりとして機能させることもできる(図示せず)。
その他の構成は前記実施例と同様であるので、説明を省略する。
【実施例４】
【００３８】
図１４に示す組立式コンテナ１は、係合突片部Ｐと受溝部Ｇの異なる実施例を示す。
第１カバーパネル１０に形成される受溝部Ｇは、第１掛止パネル部１２の第１外側ボード１２ａを略コ字状に折り曲げて受溝部Ｇとしている。
また、第２カバーパネル２０に形成される係合突片部Ｐは、３層の第２掛止パネル部２２の最も内面側に位置する第２最内側ボード２２ｃを鉤状に折り曲げて、前記受溝部Ｇに係止しうる係合突片部Ｐとしている。
【００３９】
この発明では、第１掛止パネル部１２と第２掛止パネル部２２とは１枚又は２枚以上のプラスチック製段ボールを積層した構造であればよく、要求される強度に合わせて適宜に積層枚数を増減することができる。
その場合、受溝部Ｇは、相対的に外側のプラスチック製段ボール１２ａの横方向の両端のそれぞれを内側のプラスチック製段ボール１２ｂの横方向の両端より長く設定して受溝部Ｇを形成すればよい。
また、係合突片部Ｐは、コンテナの内壁を形成するプラスチック製段ボールの両端を最も長く鉤状に突出させればよい。
その他の構成は前記実施例と同様であるので、説明を省略する。
【実施例５】
【００４０】
前記１〜４の実施例では、第２カバーパネル２０は、一体に形成された場合を示したが、この発明では、上下に折畳可能な構造としてもよいし、連結可能に上下に分割された構造としてもよい。
図１５は、折畳可能な第２カバーパネル２０を示す。
例えば、第２掛止パネル部２２を高さ方向の中央位置で切断線６ａで上下に２分し、第２掛止パネル部２２に接着された第２外壁部２１には前記切断線６ａに沿って水平に半切り線等の折曲線６ｂを形成して、第２外壁部２１側が重なり合うように２つ折りできるようにする。
これにより、蓋部３０に第２カバーパネル２０を収納するための第２カバーパネル２０の高さの寸法制限がなくなる。
反面、蓋部に収納するために蓋部の深さは、深くする必要がある。
【００４１】
図１６（ａ）は上下に分割可能な第２カバーパネル２０を示す。
この第２カバーパネル２０は、上方分割片２０Ａと下方分割片２０Ｂとに上下に二分割されている。
そして、上方分割片２０Ａと下方分割片２０Ｂの連結個所に、係合手段の一方の係合構成部７と他方の係合構成部８がそれぞれ形成されている。
【００４２】
即ち、図示例では、上方分割片２０Ａは、その下端を、第２内側ボード２２ｂ’と第２外壁部２１’の下端を揃えて同一の位置とし、第２外側ボード２２ａ’の下端をそれらより下方に長く延出させて突部とし、一方の係合構成部７を形成している。
下方分割片２０Ｂは、その上端を、第２内側ボード２２ｂ”と第２外壁部２１”の上端を揃えて同一の位置とし、第２外側ボード２２ａ”の上端をそれらより下方に低く設定して凹溝とし、他方の係合構成部８としており、凹凸係合により両者を連結しうる。
従って、コンテナ組立後に、図１６（ｂ）に示すように前記上方分割片２０Ａを上に抜き取ることで、残った下方分割片２０Ｂで下方を拘束しながら、荷台面２上の収納物の取り出しが可能となる。
図示例では、一方の第２カバーパネルのみを分割した場合を例示したが、他方の第２カバーパネル２０も分割構造としてもよい。また、第１カバーパネルを分割してもよい。分割片は凸凹係合以外の連結方法でもよく、別部材で連結しても、面ファスナーなどで連結してもよく、連結方法は問わない。また、分割片の連結面を凸凹ではなく、フラットに切断してもよい。
その他の構成は前記実施例と同様であるので、説明を省略する。
【００４３】
また、前記折畳構造と同様に、蓋部へ収納する際の高さの寸法制限もなくなる。
上記各実施例に記載した構成は、他の実施例と適宜組み合わせて実施してもよい。
プラスチック製中空体シートに代えて発泡体シートを用いる場合には、前記実施例と同様に各部を別体に形成した発泡体シートを重ね合わせて接着する構造、又は各部を一体に成形した構造でもよい。
その他、要するにこの発明の要旨を変更しない範囲で種々設計変更しうること勿論である。
【符号の説明】
【００４４】
１    組立式コンテナ
２    荷台面
３    第１の外周縁部
４    第２の外周縁部
５    パレット
６ａ  切断線
６ｂ  折曲線
７    一方の係合構成部
８    他方の係合構成部
１０    第１カバーパネル
１１    第１外壁部
１１ａ  第１外壁本体部
１１ｂ  第１外壁折曲部
１２    第１掛止パネル部
１２ａ  第１外側ボード
１２ｂ  第１内側ボード
１３    第１段部
２０    第２カバーパネル
２１    第２外壁部
２２    第２掛止パネル部
２２ａ  第２外側ボード
２２ｂ  第２内側ボード
２３    第２段部
３０    蓋部
Ｐ      係合突片部
Ｇ      受溝部
【図１】
0005882589.tif 000002
【図２】
0005882589.tif 000003
【図３】
0005882589.tif 000004
【図４】
0005882589.tif 000005
【図５】
0005882589.tif 000006
【図６】
0005882589.tif 000007
【図７】
0005882589.tif 000008
【図８】
0005882589.tif 000009
【図９】
0005882589.tif 000010
【図１０】
0005882589.tif 000011
【図１１】
0005882589.tif 000012
【図１２】
0005882589.tif 000013
【図１３】
0005882589.tif 000014
【図１４】
0005882589.tif 000015
【図１５】
0005882589.tif 000016
【図１６（ａ）】
0005882589.tif 000017
【図１６（ｂ）】
0005882589.tif 000018